(57)【特許請求の範囲】
【請求項１】
釣糸が巻き付けられる糸巻胴部と、前記糸巻胴部の後端部に前記糸巻胴部よりも大径に形成されたスカート部と、前記スカート部との間に前記釣糸を係止する釣糸係止具と、を備えるスピニングリール用スプールであって、
前記釣糸係止具は、
前記スカート部をその径方向に貫通し、前記スカート部の外周面よりも径方向内方で前記スプールに取り付けられる取付部と、
前記取付部の端部に設けられ、前記スカート部の外周面に沿って延伸する係止部と、
を備え、
前記係止部は、前記取付部よりも前記糸巻胴部寄りの位置に、前記スカート部の外周面に向かって突出する第１突出部を有し、
前記スカート部の周方向において、前記第１突出部は前記係止部の中心からずれている、スプール。
【請求項２】
前記釣糸は、前記周方向に沿った巻回方向に巻き付けられ、
前記第１突出部は、前記取付部に対して前記巻回方向の下流側に位置する、請求項１に記載のスプール。
【請求項３】
前記係止部は，前記取付部よりも前記糸巻胴部から離れた位置に、前記スカート部の外周面に向かって突出する第２突出部を有する、請求項１又は２に記載のスプール。
【請求項４】
前記係止部は、弾性体から形成されており、また、前記第１突出部と前記取付部との距離が前記第２突出部と前記取付部との距離よりも短くなるように形成されている、請求項３に記載のスプール。
【請求項５】
前記スカート部の外周面と前記係止部との間に配置されるシート部をさらに備える、請求項１ないし請求項４のいずれか１項に記載のスプール。
【請求項６】
前記シート部の前記第１突出部と対向する位置に、前記第１突出部を受け入れ可能な第１凹部が形成されている、請求項５に記載のスプール。
【請求項７】
前記係止部は，前記取付部よりも前記糸巻胴部から離れた位置に、前記スカート部の外周面に向かって突出する第２突出部を有し、前記シート部の前記第２突出部と対向する位置に、前記第２突出部を受け入れ可能な第２凹部が形成されている、請求項５又は請求項６に記載のスプール。
【請求項８】
前記係止部は，前記取付部よりも前記糸巻胴部から離れた位置に、前記スカート部の外周面に向かって突出する第２突出部を有し、また、前記取付部と前記第２突出部との間に前記釣糸を受け入れ可能な係止凹部を有する、請求項３ないし請求項７のいずれか１項に記載のスプール。
【請求項９】
請求項１ないし請求項８のいずれか１項に記載のスプールを備えるスピニングリール。
【発明の詳細な説明】
【技術分野】
【０００１】
本発明は、釣糸を係止する釣糸係止具を有するスピニングリール用スプール及び当該スプールを備えたスピニングリールに関する。より具体的には、本発明は、当該釣糸係止具の改良に関する。
【背景技術】
【０００２】
魚釣用リールとしてスピニングリールが広く用いられている。スピニングリールは、ハンドルの回転に応じて前後動するスプールを備えている。このスプールは、その外周に釣糸が巻回される糸巻胴部と、当該糸巻胴部の後端に設けられるスカート部とを備える。スカート部は、糸巻胴部よりも大径となるように形成される。
【０００３】
糸巻胴部に巻回された釣糸がほどけてしまわないようにするために、スカート部の外周面に糸巻胴部に巻回された釣糸を係止する釣糸係止具を備えたスピニングリールが知られている。従来の釣糸係止具は、スカート部の外周面に沿って延伸する係止部を備えている。釣糸係止具は、この係止部とスカート部の外周面との間に釣糸の先端を挟み込むことにより釣糸を係止することができる。この係止部は、ばねや係止部自身の弾性によりスカート部に向かって付勢されている。この付勢力により、釣糸係止具から釣糸が脱落することを防止している。
【０００４】
ばねによって係止部をスカート部へ付勢する釣糸係止具は、例えば、特開平１０−１１３１０２号公報（特許文献１）及び特開２００６−２０４１５３号公報（特許文献２）に開示されている。係止部自身の弾性を利用して係止部とスカート部との間に釣糸を係止する釣糸係止具は、例えば、特開２００３−２８４４５９号公報（特許文献３）及び特開２０１５−０２３８３７号公報（特許文献４）に開示されている。
【先行技術文献】
【特許文献】
【０００５】
【特許文献１】特開平１０−１１３１０２号公報
【特許文献２】特開２００６−２０４１５３号公報
【特許文献３】特開２００３−２８４４５９号公報
【特許文献４】特開２０１５−０２３８３７号公報
【発明の概要】
【発明が解決しようとする課題】
【０００６】
従来の釣糸係止具は、上記特許文献１ないし特許文献４に開示されているように、係止部のうち糸巻胴部から遠位にある部分（係止部のうち取付部に対して糸巻胴部と反対側にある部分）で釣糸を係止するように構成されている。このため、従来の釣糸係止具においては、係止部とスカート部外周面との間の係止位置まで釣糸を進入させる際に、係止部（特に取付部）の周囲を迂回させて釣糸を案内しなければならない。
【０００７】
本発明の目的の一つは、より少ない動作で釣糸を係止できる釣糸係止具を備えたスピニングリール用スプール及び当該スプールを備えたスピニングリールを提供することである。本発明のこれ以外の目的は、本明細書全体を参照することにより明らかとなる。
【課題を解決するための手段】
【０００８】
本発明の一実施形態に係るスピニングリール用スプールは、釣糸が巻き付けられる糸巻胴部と、前記糸巻胴部の後端部に前記糸巻胴部よりも大径に形成されたスカート部と、前記スカート部との間に前記釣糸を係止する釣糸係止具と、を備える。この釣糸係止具は、取付部と、係止部と、を備える。当該取付部は、前記スカート部をその径方向に貫通し、前記スカート部の外周面よりも径方向内方でスプールに取り付けられる。当該係止部は、前記取付部の端部に設けられ、前記スカート部の外周面に沿って延伸する。本発明の一実施形態において、前記係止部は、前記取付部よりも前記糸巻胴部寄りの位置に、前記スカート部の外周面に向かって突出する第１突出部を有する。
【０００９】
当該実施形態によれば、取付部よりも糸巻胴部寄りの位置に第１突出部が設けられているので、この第１突出部と取付部の間の係止位置に釣糸を挟み込むことができる。これにより、取付部を迂回することなく釣糸を係止位置まで案内することができる。したがって、当該釣糸係止具には従来よりも少ない動作で釣糸を係止できる。
【００１０】
本発明の一実施形態に係るスプールにおいて、前記係止部は，前記取付部よりも前記糸巻胴部から離れた位置に、前記スカート部の外周面に向かって突出する第２突出部を有する。
【００１１】
当該実施形態によれば、第１突出部及び第２突出部の２つの部材によって、釣糸係止具から釣糸が離脱することをより確実に防止することができる。
【００１２】
本発明の一実施形態に係るスプールにおいて、前記係止部は、弾性体から形成されている。また、当該係止部は、前記第１突出部と前記取付部との距離が前記第２突出部と前記取付部との距離よりも短くなるように形成されている。
【００１３】
当該実施形態によれば、係止部のうち第１突出部と取付部との間の部分は、第２突出部と取付部との間の部分よりも弾性変形による変形量が小さくなる。よって、第１突出部により、釣糸の釣糸係止具からの離脱をより確実に防止できる。
【発明の効果】
【００１４】
本発明の様々な実施形態により、より少ない動作で釣糸係止具に釣糸の先端を係止することができる。
【図面の簡単な説明】
【００１５】
【図１】本発明の一実施形態に係るスピニングリールの側面図。
【図２】本発明の一実施形態に係る釣糸係止具の平面図。
【図３】図２に示した釣糸係止具の断面図。
【図４】図２に示した釣糸係止具への釣糸の係止方法を模式的に示す図。
【図５】図２に示した釣糸係止具への釣糸の係止方法を模式的に示す図。
【図６】図２に示した釣糸係止具への釣糸の係止方法を模式的に示す図。
【図７】図２に示した釣糸係止具への釣糸の係止方法を模式的に示す図。
【図８】釣糸が係止された釣糸係止具を示す断面図。
【発明を実施するための形態】
【００１６】
以下、本発明の様々な実施形態を適宜図面を参照して説明する。共通する構成要素には複数の図面をまたがって同一の参照符号が付されている。各図面は、便宜上、必ずしも同一の縮尺により示されているとは限らない点に留意されたい。
【００１７】
図１は、本発明の一実施形態に係るスピニングリール１の側面図を示す。図示のとおり、スピニングリール１は、リール本体１０と、ハンドル１１と、脚部１２と、ロータ１３と、スプール２０と、を備えている。ハンドル１１は、リール本体１０に回転可能に支持されている。脚部１２は、リール本体１０から上方に延伸している。スピニングリール１は、脚部１２を介して釣竿（不図示）に取り付けられる。本明細書において、「前」方向及び「後」方向に言及するときは、図１に示した方向を基準とする。つまり、釣りを行うときに釣り糸が繰り出される方向を前（又は前方）といいその反対の方向を後（又は後方）という。本明細書において、「左」方向及び「右」方向に言及するときは、図１の後方から前方を見たときの左方向及び右方向をそれぞれ意味する。
【００１８】
リール本体１０内には、公知のように、ハンドル１１の回転操作に伴いハンドル軸周りに回転するドライブギア（不図示）と、前後方向に延びる中空の駆動軸筒（不図示）と、駆動軸筒に外嵌されてドライブギアに噛合するピニオンギア（不図示）と、が設けられている。リール本体１０の前部には、駆動軸筒を介してリール本体１０に対して回転可能にロータ１３が取り付けられる。ロータ１３は、ハンドル１１の回転操作に応じて当該駆動軸筒とともに回転するように構成される。駆動軸筒内には、スプール軸（不図示）が挿通される。スプール２０は、このスプール軸の前部に取り付けられる。また、スプール軸の後部は、駆動歯車の回転に応じてスプール軸を前後動させるオシレーティング機構に連結されている。ハンドル１１の回転操作により駆動歯車が回転すると、ロータ１３が回転するとともにスプール２０が前後動する。これにより、ロータ１３に設けた釣糸案内部（不図示）を介してスプール２０に釣糸が均等に巻回される。
【００１９】
スプール２０は、釣糸が巻回される糸巻胴部２１と、糸巻胴部２１の前端から径方向外側に立ち上がる前フランジ部２２ａと、糸巻胴部２１の後端から径方向外側に立ち上がる後フランジ部２２ｂと、後フランジ部２２ｂから後方に延びる略円筒状のスカート部２３と、を備える。スカート部２３は、糸巻胴部２１よりも大径となるように形成されている。スプール２０は、例えばアルミニウム合金を鍛造して形成される。スカート部２３の前方端部には釣糸係止具３１が装着される。
【００２０】
図２及び図３を参照して、スカート部２３及び当該スカート部２３に設けられる釣糸係止具３１について説明する。図２は、本発明の一実施形態に係る釣糸係止具３１の平面図であり、図３は、図２の釣糸係止具３１をＡ−Ａ線で切断した断面図である。
【００２１】
図示のように、スカート部２３の外周面２３ａの前方端部には、釣糸係止具３１を装着するための凹部２３ｃが形成される。凹部２３ｃは、図示のように、前側がスカート部２３の外周面２３ａからほぼ方形に凹み、後側がスカート部２３の外周面２３ａからほぼ半円形に凹むように形成される。凹部２３ｃは、平坦な底面２３ｄを有する。底面２３ｄには、スカート部２３の外周面２３ａを貫通する貫通孔２３ｅ及び貫通孔２３ｆが形成される。
【００２２】
凹部２３ｃには、本発明の一実施形態に係る釣糸係止具３１と、シート３２と、が取り付けられる。本発明の一実施形態に係る釣糸係止具３１は、スカート部２３の外周面２３ａ（底面２３ｄ）に沿って延伸する係止部３１ａと、スプール２０に取り付けられる取付部３１ｂと、を備える。本発明の一実施形態において、釣糸係止具３１は、弾性変形可能となるように、合成樹脂から形成される。係止部３１ａと取付部３１ｂとは、一体に形成されてもよい。取付部３１ｂは、係止部３１ａとは別体に形成されてもよい。
【００２３】
係止部３１ａは、図２に示す平面視において、底面２３ｄと同様に、前側がほぼ方形となり後側がほぼ半円形となるように形成される。釣糸係止具３１を凹部２３ｃに収容するために、係止部３１ａは、底面２３ｄよりも一回り小さな平面視外形を有するように形成される。一実施形態において、係止部３１ａは、後述するように、凹部２３ｃの表面においてスカート部２３の外方に露出するように構成及び配置される。一実施形態において、係止部３１ａは、スカート部２３の外周面２３ａ（底面２３ｄ）との間に釣糸を挟み込むことができるように構成される。係止部３１ａは、自らの弾性により、自ら及び取付部３１ｂの弾性により、または取付部３１ｂに対するばねの付勢力により、係止部３１ａと底面２３ｄとの間に釣糸を保持可能に構成される。
【００２４】
本発明の一実施形態において、取付部３１ｂは板状に形成され、係止部３１ａの前後方向の中央よりもやや前方寄りの位置において係止部３１ａと接続される。本発明の一実施形態において、取付部３１ｂは、係止部３１ａとの接続位置から係止部３１ａに対してほぼ垂直に、すなわちスカート部２３の外周面２３ａに対してほぼ垂直に延伸する。取付部３１ｂは、貫通孔２３ｆを貫通して、スカート部２３の内部まで延伸する。取付部３１ｂの端部（スカート部２３の径方向内方の端部）は、後フランジ部２２ｂまたは糸巻胴部２１の後面にボルト３３によって固定される。取付部３１ｂは、公知の手法に従って、ばねにより後フランジ部２２ｂまたは糸巻胴部２１の後面に取り付けられても良い。ばねを用いて取り付けられる釣糸係止具は、例えば、特開平１０−１１３１０２号公報及び特開２００６−２０４１５３号公報に開示されている。取付部３１ｂは、これらの公報に開示された機構と同様の機構により、後フランジ部２２ｂまたは糸巻胴部２１の後面に取り付けられ得る。
【００２５】
釣糸係止具３１の係止部３１ａと底面２３ｄとの間には、シート３２が配置される。一実施形態において、シート３２は、スカート部２３の外周面２３ａよりも摩擦係数が大きくなるように形成される。これにより、係止部３１ａとシート３２との間に釣糸を挟み込んだときに、当該釣糸が係止部３１ａから離脱しにくくすることができる。
【００２６】
図２に最もよく表されているように、係止部３１ａは、その前側の左端に平面視で湾曲した曲線から成る湾曲部３１ｇを有する。これにより、釣糸を傷つけることなく係止部３１ａと底面２３ｄとの間に案内することができる。また、係止部３１ａは、その前側の右端に平面視で湾曲した曲線から成る湾曲部３１ｈを有する。この湾曲部３１ｈにより、釣糸をが傷つくことをさらに抑制できる。
【００２７】
本発明の一実施形態において、係止部３１ａは、その下面からスカート２３の外周面２３ａ（図示の実施形態においては底面２３ｄ）に向かって突出する突出部３１ｃ（第１突出部）を有する。図示のように、突出部３１ｃは、係止部３１ａの下面において、係止部３１ａの取付部３１ｂとの接続位置よりも糸巻胴部２１寄りの位置に形成される。同様に、係止部３１ａは、その下面からスカート２３の外周面２３ａ（図示の実施形態においては底面２３ｄ）に向かって突出する突出部３１ｄ（第１突出部）を有する。突出部３１ｄも、係止部３１ａの下面において、係止部３１ａの取付部３１ｂとの接続位置よりも糸巻胴部２１寄りの位置に形成される。一実施形態において、突出部３１ｃは、係止部３１ａの左右方向の中心よりも左側に形成され、突出部３１ｄは、係止部３１ａの左右方向の中心よりも右側に形成される。本発明の一実施形態において、突出部３１ｃは、係止部３１ａにおいて突出部３１ｃが形成される位置と取付部３１ｂが形成される位置との間の距離Ｌ１が釣糸Ｌの幅よりも広くなるように形成及び配置される。同様に、本発明の一実施形態において、突出部３１ｄは、係止部３１ａにおいて突出部３１ｄが形成される位置と取付部３１ｂが形成される位置との間の距離Ｌ２が釣糸Ｌの幅よりも広くなるように形成及び配置される。突出部３１ｃと突出部３１ｄとは、係止部３１ａの左右方向の中心に対して対称な位置に配置されてもよい。この場合、Ｌ１とＬ２とは同じ長さとなる。
【００２８】
本発明の一実施形態において、係止部３１ａは、その下面からスカート２３の外周面２３ａ（図示の実施形態においては底面２３ｄ）に向かって突出する突出部３１ｅ（第２突出部）を有する。図示のように、突出部３１ｅは、係止部３１ａの下面において、係止部３１ａの取付部３１ｂとの接続位置よりも糸巻胴部２１から離れた位置に形成される。よって、突出部３１ｅは、取付部３１ａの下面において、取付部３１ｂに対して突出部３１ｃ及び突出部３１ｄと反対側に設けられる。つまり、突出部３１ｃ及び突出部３１ｄと突出部３１ｅとは、取付部３１ｂを境に前後に振り分け配置されている。
【００２９】
本発明の一実施形態において、係止部３１ａの下面には凹部３１ｆ（係止凹部）が形成される。凹部３１ｆは、係止部３１ａの下面において、取付部３１ｂとの接続位置と突出部３１ｅとの間に形成される。本発明の一実施形態において、凹部３１ｆは、その幅（前後方向の幅）が釣糸Ｌの幅よりも大きくなるように形成される。
【００３０】
本発明の一実施形態において、突出部３１ｃは、上述した距離Ｌ１が係止部３１ａにおいて突出部３１ｅが形成される位置と取付部３１ｂが形成される位置との間の距離Ｌ３よりも小さくなるように形成及び配置される。また、突出部３１ｄは、上述した距離Ｌ２が距離Ｌ３よりも小さくなるように形成及び配置される。
【００３１】
本発明の一実施形態において、シート３２の上面には、突出部３１ｃを受け入れるための凹部３２ｃ（第１凹部）が形成される。凹部３２ｃは、突出部３１ｃと対向する位置に、突出部３１ｃと対応する形状を有するように形成される。同様に、シート３２の上面には、突出部３１ｄを受け入れるための第１凹部（不図示）が形成される。この突出部３１ｄを受け入れるための凹部は、突出部３１ｄと対向する位置に、突出部３１ｄと対応する形状を有するように形成される。また、シート３２において、突出部３１ｅと対向する位置には、凹部３２ｅ（第２凹部）が形成される。この凹部３２ｅは、図示のようにシート３２を貫通する貫通孔であってもよいし、有底の凹部であってもよい。凹部３２ｅは、突出部３１ｅを受け入れることができるように形成される。
【００３２】
次に、図４ないし図８を参照して、本発明の一実施形態に係る釣糸係止具３１の使用方法について説明する。スピニングリール１００を使用しないときには、釣糸Ｌの先端ＬＥ付近を釣糸係止具３１に係止することで、釣糸Ｌが糸巻胴部２１からばらけないようにする。まずは、図４に示すように、釣糸Ｌの先端ＬＥを糸巻胴部２１から突出部３１ｃに向かって案内する。次に、釣糸Ｌが突出部３１ｃを乗り越えて図５に示すように突出部３１ｃと取付部３１ｂとの間に配置されるように、釣糸Ｌを指で引っ張って取付部３１ｂの方向へ移動させる。釣糸Ｌが突出部３１ｃを乗り越えやすくするために、係止部３１ａの湾曲部３１ｇ付近を指で持ち上げてもよい。
【００３３】
このようにして、突出部３１ｃと取付部３１ｂとの間の係止位置に釣糸Ｌを挟み込むことにより、係止部３１ａとスカート部２３の外周面２３ａとの間に釣糸Ｌを係止することができる。よって、釣糸Ｌを糸巻胴部２１の表面から突出部３１ｃを乗り越える位置まで案内するだけで、当該釣糸Ｌを係止位置まで案内することができる。したがって、取付部３１ｂを迂回することなく、少ない動作で釣糸Ｌを係止位置まで案内することができる。また、釣糸Ｌの進入経路にある湾曲部３１ｇは、平面視で湾曲した形状に形成されているため、釣糸Ｌを傷付けることなく係止位置まで案内することができる。
【００３４】
釣糸Ｌをより確実に係止するために、釣糸Ｌを図５に示されている配置からさらに別の係止位置まで案内することができる。すなわち、釣糸Ｌを、取付部３１ｂに反時計回りに巻き付けるように図５の位置から指で引っ張ることにより、図６に示すように、釣糸Ｌが突出部３１ｅを乗り越えて取付部３１ｂと突出部３１ｅとの間に配置される。これにより、突出部３１ｃ及び突出部３１ｅにより釣糸Ｌの脱落をより確実に防止することができる。
【００３５】
次に、図６の位置から釣糸Ｌをさらに引っ張ることにより、図７に示すように、釣糸Ｌが突出部３１ｄを乗り越えて取付部３１ｂと突出部３１ｄとの間に配置される。これにより、突出部３１ｃ、突出部３１ｅ、及び突出部３１ｄにより釣糸Ｌの脱落をさらに確実に防止することができる。
【００３６】
釣糸Ｌが図７に示す位置に配置されるとき、図８に示すように、釣糸Ｌの一部を係止部３１ａの下面の取付部３１ｂと突出部３１ｅとの間に形成された凹部３１ｆに収容することができる。図８は、図７に示すように釣糸Ｌが配置されている釣糸係止具３１を図２のＡ−Ａ断面と同じ断面で切断した断面図である。このように、釣糸Ｌの一部を凹部３１ｆに収容することにより、釣糸Ｌの脱落をさらに確実に防止することができる。
【００３７】
また、上述したように、突出部３１ｃは、当該突出部３１ｃと取付部３１ｂとの距離Ｌ１が突出部３１ｅと取付部３１ｂとの間の距離Ｌ３よりも小さくなるように形成及び配置されるので、釣糸Ｌが小径の場合には当該釣糸Ｌを突出部３１ｃと取付部３１ｂとの間に係止する一方、釣糸Ｌが大径の場合には当該釣糸Ｌを突出部３１ｅと取付部３１ｂとの間に係止することができる。
【００３８】
同様に、突出部３１ｄは、当該突出部３１ｄと取付部３１ｂとの距離Ｌ２が上記の距離Ｌ３よりも小さくなるように形成及び配置されるので、釣糸Ｌが小径の場合には、当該釣糸Ｌを突出部３１ｃと取付部３１ｂとの間だけでなく、突出部３１ｄと取付部３１ｂとの間にも係止することができる。これにより、小径の釣糸Ｌをより確実に釣糸係止具３１で係止することができる。
【００３９】
このように、釣糸Ｌの径に応じて係止部３１ａの突出部３１ｃ及び突出部３１ｄと突出部３１ｅとを使い分けることで、細径の釣糸及び太径の釣糸を単一の釣糸係止具３１で確実に係止することができる。すなわち、釣糸係止具３１によれば、径の大小によらず、釣糸Ｌを確実に保持することができる。
【００４０】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。特に、突出部３１ｄ及び突出部３１ｅの一方又は両方を省略することができる。突出部３１ｄ及び突出部３１ｅを省略しても、図５に示すように、釣糸Ｌは突出部３１ｃと取付部３１ｂとの間に保持可能である。
【符号の説明】
【００４１】
１  スピニングリール
１０  リール本体
２０  スプール
２１  糸巻胴部
２３  スカート部
３１  釣糸係止具
３１ａ  係止部
３１ｂ  取付部
３１ｃ、３１ｄ  突出部（第１突出部）
３１ｅ  突出部（第２突出部）
３１ｆ  係止凹部
３１ｇ、３１ｈ  湾曲部
３２  シート
３２c  凹部（第１凹部）
３２e  凹部（第２凹部）
【図１】
0006611344.tif 000002
【図２】
0006611344.tif 000003
【図３】
0006611344.tif 000004
【図４】
0006611344.tif 000005
【図５】
0006611344.tif 000006
【図６】
0006611344.tif 000007
【図７】
0006611344.tif 000008
【図８】
0006611344.tif 000009